(57)【要約】【課題】操作情報を受信した後にあっては、広告の提示と操作の間で生じる時間差を減少させることができる情報処理装置を提供する。【解決手段】情報処理装置の送信手段は、広告を提示するための装置に対して、広告情報を送信し、受信手段は、前記装置から操作情報を受信し、変換手段は、前記受信手段によって前記操作情報を受信した後、広告情報の情報量を減少させる変換を行い、前記送信手段は、前記変換手段によって変換された広告情報を前記装置に送信する。【選択図】図１
2019029786.tif 000002
【特許請求の範囲】
【請求項１】
広告を提示するための装置に対して、広告情報を送信する送信手段と、
前記装置から操作情報を受信する受信手段と、
前記受信手段によって前記操作情報を受信した後、広告情報の情報量を減少させる変換を行う変換手段
を有し、
前記送信手段は、前記変換手段によって変換された広告情報を前記装置に送信する、
情報処理装置。
【請求項２】
前記装置は、ユーザ端末と無線通信可能であって、
前記受信手段が受信する操作情報は、前記装置が前記ユーザ端末から受信した操作情報である、
請求項１に記載の情報処理装置。
【請求項３】
前記装置は、ユーザ端末であって、
本情報処理装置は、前記ユーザ端末と無線通信可能であって、
前記受信手段が受信する操作情報は、ユーザ端末から受信した操作情報である、
請求項１に記載の情報処理装置。
【請求項４】
前記無線通信として、ＩＥＥＥ８０２．１１ａｄを用いる、
請求項２又は３に記載の情報処理装置。
【請求項５】
前記受信手段は、前記装置から前記変換のための変数を受信し、
前記変換手段は、前記変数に基づいて広告情報の変換を行う、
請求項１に記載の情報処理装置。
【請求項６】
前記変数として、通信帯域の測定結果である、
請求項５に記載の情報処理装置。
【請求項７】
コンピュータを、
広告を提示するための装置に対して、広告情報を送信する送信手段と、
前記装置から操作情報を受信する受信手段と、
前記受信手段によって前記操作情報を受信した後、広告情報の情報量を減少させる変換を行う変換手段
として機能させ、
前記送信手段は、前記変換手段によって変換された広告情報を前記装置に送信する、
情報処理プログラム。
【発明の詳細な説明】
【技術分野】
【０００１】
本発明は、情報処理装置及び情報処理プログラムに関する。
【背景技術】
【０００２】
特許文献１には、ストリーミング再生において、バッファ量が不足した場合に、再生コンテンツの内容の区切りがよい時点において、再生するコンテンツを切り替えることができる情報処理装置、及び情報処理方法を提供することを課題とし、情報処理装置は、ストリーム配信用のコンテンツデータを保持する配信サーバと通信することが可能な通信部と、配信サーバから取得されたストリームデータを一時的に記憶するバッファ部と、挿入コンテンツを記憶する記憶部と、コンテンツを再生する再生部と、ネットワークの帯域を計測し、バッファ部のバッファ量及び帯域に基づいてコンテンツに設定されたチャプタポイントによって定義される次のチャプタの終わりまで再生可能か否か判断し、不可能と判断された場合に、チャプタポイントにおいて、再生部に再生させるコンテンツを挿入コンテンツに切り替える制御部と、を有することが開示されている。
【０００３】
特許文献２には、複数の動画再生装置によって動画を同期して再生する場合にあって、動画に対する画質、解像度、フレームレートのいずれか１つ又はこれらの組み合わせに対する操作者の要求が反映された動画を再生するようにした情報処理装置を提供することを課題とし、情報処理装置の要求送信手段は、動画送信装置に対して、操作者の操作に基づいて、他の情報処理装置と同期して再生する動画に対する画質、解像度、フレームレートのいずれか１つ又はこれらの組み合わせに対する要求を送信し、動画受信手段は、前記要求送信手段によって送信された要求に基づいて前記動画送信装置によって変換された動画を受信し、再生手段は、前記動画受信手段によって受信された動画を再生することが開示されている。
【先行技術文献】
【特許文献】
【０００４】
【特許文献１】特開２０１１−０７７５９７号公報
【特許文献２】特開２０１３−０６６０４５号公報
【発明の概要】
【発明が解決しようとする課題】
【０００５】
広告を提示するための装置に対して、広告情報を送信するにあたって、広告に対する操作が行われる場合がある。操作の有無にかかわらず、同じ情報量で広告情報を送信する技術を用いた場合、広告の提示と操作の間で時間差が生じることがある。
本発明は、操作情報を受信した後にあっては、広告の提示と操作の間で生じる時間差を減少させることができる情報処理装置及び情報処理プログラムを提供することを目的としている。
【課題を解決するための手段】
【０００６】
かかる目的を達成するための本発明の要旨とするところは、次の各項の発明に存する。
請求項１の発明は、広告を提示するための装置に対して、広告情報を送信する送信手段と、前記装置から操作情報を受信する受信手段と、前記受信手段によって前記操作情報を受信した後、広告情報の情報量を減少させる変換を行う変換手段を有し、前記送信手段は、前記変換手段によって変換された広告情報を前記装置に送信する、情報処理装置である。
【０００７】
請求項２の発明は、前記装置は、ユーザ端末と無線通信可能であって、前記受信手段が受信する操作情報は、前記装置が前記ユーザ端末から受信した操作情報である、請求項１に記載の情報処理装置である。
【０００８】
請求項３の発明は、前記装置は、ユーザ端末であって、本情報処理装置は、前記ユーザ端末と無線通信可能であって、前記受信手段が受信する操作情報は、ユーザ端末から受信した操作情報である、請求項１に記載の情報処理装置である。
【０００９】
請求項４の発明は、前記無線通信として、ＩＥＥＥ８０２．１１ａｄを用いる、請求項２又は３に記載の情報処理装置である。
【００１０】
請求項５の発明は、前記受信手段は、前記装置から前記変換のための変数を受信し、前記変換手段は、前記変数に基づいて広告情報の変換を行う、請求項１に記載の情報処理装置である。
【００１１】
請求項６の発明は、前記変数として、通信帯域の測定結果である、請求項５に記載の情報処理装置である。
【００１２】
請求項７の発明は、コンピュータを、広告を提示するための装置に対して、広告情報を送信する送信手段と、前記装置から操作情報を受信する受信手段と、前記受信手段によって前記操作情報を受信した後、広告情報の情報量を減少させる変換を行う変換手段として機能させ、前記送信手段は、前記変換手段によって変換された広告情報を前記装置に送信する、情報処理プログラムである。
【発明の効果】
【００１３】
請求項１の情報処理装置によれば、操作情報を受信した後にあっては、広告の提示と操作の間で生じる時間差を減少させることができる。
【００１４】
請求項２の情報処理装置によれば、受信する操作情報として、装置がユーザ端末から受信した操作情報を用いることができる。
【００１５】
請求項３の情報処理装置によれば、受信する操作情報として、ユーザ端末から受信した操作情報を用いることができる。
【００１６】
請求項４の情報処理装置によれば、無線通信として、ＩＥＥＥ８０２．１１ａｄを用いることができる。
【００１７】
請求項５の情報処理装置によれば、変数に基づいて広告情報の変換を行うことができる。
【００１８】
請求項６の情報処理装置によれば、変数として、通信帯域の測定結果を用いることができる。
【００１９】
請求項７の情報処理プログラムによれば、操作情報を受信した後にあっては、広告の提示と操作の間で生じる時間差を減少させることができる。
【図面の簡単な説明】
【００２０】
【図１】第１の実施の形態（デジタルサイネージ装置）の構成例についての概念的なモジュール構成図である。
【図２】第１の実施の形態（サーバ装置）の構成例についての概念的なモジュール構成図である。
【図３】第１の実施の形態を利用したシステム構成例を示す説明図である。
【図４】第１の実施の形態による処理例を示すフローチャートである。
【図５】第１の実施の形態による別の処理例を示すフローチャートである。
【図６】第２の実施の形態（ゲートウェイ装置）の構成例についての概念的なモジュール構成図である。
【図７】第２の実施の形態（サーバ装置）の構成例についての概念的なモジュール構成図である。
【図８】第２の実施の形態（ユーザ端末）の構成例についての概念的なモジュール構成図である。
【図９】第２の実施の形態を利用したシステム構成例を示す説明図である。
【図１０】第２の実施の形態による処理例を示すフローチャートである。
【図１１】本実施の形態を実現するコンピュータのハードウェア構成例を示すブロック図である。
【発明を実施するための形態】
【００２１】
まず、本実施の形態を説明する前に、その前提又は本実施の形態を利用する情報処理装置について説明する。なお、この説明は、本実施の形態の理解を容易にすることを目的とするものであり、この説明を用いて限定解釈することは意図していない。そして、この説明部分のみを用いて、特許を受けようとする発明が発明の詳細な説明に記載したものであること（特許法第３６条６項１号）の判断を行うべきではないことは当然である。
動画のストリーミング通信において、通信帯域の枯渇による画像停止を避けるために、帯域の計測を実行し、設定したバッファ閾値より下回る場合は別のコンテンツに切り替えて再生を継続させる、画質や解像度を下げたエンコードパラメータに変換しなおして再生するなどの仕組みが前述の特許文献に示されている。
例えば、特許文献１に記載の技術では、ネットワーク帯域の計測を行い、通信が混雑して次のチャプタ終了までのデータ量が通信帯域から設定したバッファ閾値より下回った場合は、事前に準備した挿入コンテンツを再生し、データがバッファ閾値以上になると、ストリームデータ表示を再開することで途切れることなくコンテンツ再生を実行する。
この技術では、ストリームデータとは別に事前に準備された挿入コンテンツを保持する必要がある。バッファ閾値を上回るのに要する時間は変化するため、複数の挿入コンテンツを用意するか、同じコンテンツを繰り返し再生する必要がある。
また、特許文献２に記載の技術では、複数の動画再生装置とのネットワーク帯域の計測を行い、帯域に基づき、複数の動画再生装置が同期するよう制御する。ユーザが手動選択した、画質、解像度、フレームレートのいずれか1つ、又は、組み合わせと帯域情報に基づく動画のエンコードパラメータで変換し、各動画再生装置に送信することで同期を実現する。エンコードパラメータは要求があるまで変更させない。
この技術では、帯域や動画内容と関係なく、ユーザが選択した画質、解像度、フレームレートのいずれか１つ、又は、組み合わせによって動画の再生品質が固定されてしまう。また、エンコード変換の要求を受信することで変換動作を実行するため、再エンコード変換が完了するまで待たなければならない。
本実施の形態では、画像・音声データを受信する経路とユーザ端末からの操作データを受信する経路を別にすることで、双方向操作実行時のデジタルサイネージ装置のオーバーヘッドを減らして、システム動作を安定させる。そして、双方向操作状態に入ったら、自動的に画像・音声データの通信帯域を下げ、操作データの通信の帯域を確保することで、動画内容と操作のずれ（時間差）をなくすものである。
【００２２】
以下、図面に基づき本発明を実現するにあたっての好適な各種の実施の形態の例を説明する。
図１は、第１の実施の形態（デジタルサイネージ装置１００）の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２３】
第１の実施の形態であるデジタルサイネージ装置１００は、広告を提示するものであって、図１の例に示すように、有線制御モジュール１０５、アンテナ１１０、サーバ受信データ記憶モジュール１１５、サーバ送信データ記憶モジュール１２０、無線制御モジュール１２５、ユーザデータ記憶モジュール１３０、画像・音声データ処理モジュール１３５、画像表示モジュール１４０、音声出力モジュール１４５、タッチパネル操作モジュール１５０、モニタ機能制御モジュール１５５を有している。
デジタルサイネージ装置１００は、ユーザ端末３００と無線通信可能であって、サーバ装置２００と通信回線（有線）３９０を介して通信可能である。このユーザ端末３００との無線通信として、ＩＥＥＥ８０２．１１ａｄを用いるようにしてもよい。
【００２４】
有線制御モジュール１０５は、サーバ受信データ記憶モジュール１１５、サーバ送信データ記憶モジュール１２０と接続されており、また通信回線（有線）３９０と接続されている。有線制御モジュール１０５は、通信回線（有線）３９０（例えば、Ｅｔｈｅｒｎｅｔ等）を介して、サーバ装置２００と通信を行う。
サーバ受信データ記憶モジュール１１５は、有線制御モジュール１０５、画像・音声データ処理モジュール１３５と接続されている。サーバ受信データ記憶モジュール１１５は、有線制御モジュール１０５が受信したデータ（サーバ装置２００から受信した広告情報）を記憶する。ここで「広告情報」として、広告内容を示す画像情報（静止画像情報、動画情報を含む）、音声情報、又は、これらの組み合わせの情報を含む。
サーバ送信データ記憶モジュール１２０は、有線制御モジュール１０５、画像・音声データ処理モジュール１３５と接続されている。サーバ送信データ記憶モジュール１２０は、有線制御モジュール１０５がサーバ装置２００に送信するデータを記憶する。具体的には、ユーザ端末３００から送信された操作情報（ユーザデータ記憶モジュール１３０によって記憶されているデータであって、ユーザ端末３００から受信した操作情報である）を記憶する。
【００２５】
アンテナ１１０は、無線制御モジュール１２５と接続されている。アンテナ１１０は、ユーザ端末３００と無線通信を行うためのものである。アンテナ１１０は、ＩＥＥＥ８０２．１１ａｄを利用することができるものであってもよい。
無線制御モジュール１２５は、アンテナ１１０、ユーザデータ記憶モジュール１３０と接続されている。無線制御モジュール１２５は、アンテナ１１０を介して、ユーザ端末３００との無線通信を制御する。具体的には、ユーザ端末３００から操作情報を受信し、その操作情報に対してのサーバ装置２００からの返信をユーザ端末３００に送信する。
ユーザデータ記憶モジュール１３０は、無線制御モジュール１２５、画像・音声データ処理モジュール１３５と接続されている。ユーザデータ記憶モジュール１３０は、無線制御モジュール１２５がユーザ端末３００から受信したデータを記憶する。記憶するデータとして、例えば、ユーザが見たい広告を検索したり、広告を指定したりする操作等を示す操作情報が該当する。
【００２６】
画像・音声データ処理モジュール１３５は、サーバ受信データ記憶モジュール１１５、サーバ送信データ記憶モジュール１２０、ユーザデータ記憶モジュール１３０、モニタ機能制御モジュール１５５と接続されている。画像・音声データ処理モジュール１３５は、広告情報である画像表示するデータ、音声出力するデータを出力可能なデータに変換処理する。
モニタ機能制御モジュール１５５は、画像・音声データ処理モジュール１３５、画像表示モジュール１４０、音声出力モジュール１４５、タッチパネル操作モジュール１５０と接続されている。モニタ機能制御モジュール１５５は、画像表示モジュール１４０、音声出力モジュール１４５、タッチパネル操作モジュール１５０を制御して、画像・音声データ処理モジュール１３５によって処理された広告情報を提示する。
画像表示モジュール１４０は、モニタ機能制御モジュール１５５と接続されている。画像表示モジュール１４０は、液晶ディスプレイ等の表示装置であって、モニタ機能制御モジュール１５５の制御にしたがって、広告情報である画像、動画等を表示する。
音声出力モジュール１４５は、モニタ機能制御モジュール１５５と接続されている。音声出力モジュール１４５は、スピーカー等の音声出力装置であって、モニタ機能制御モジュール１５５の制御にしたがって、広告情報である音声情報を出力する。
タッチパネル操作モジュール１５０は、モニタ機能制御モジュール１５５と接続されている。タッチパネル操作モジュール１５０は、タッチパネル等であって、ユーザの操作（操作情報）を受け付け、その操作情報をモニタ機能制御モジュール１５５（ユーザデータ記憶モジュール１３０）に渡す。
【００２７】
図２は、第１の実施の形態（サーバ装置２００）の構成例についての概念的なモジュール構成図である。
第１の実施の形態（サーバ装置２００）は、図２の例に示すように、有線制御モジュール２０５、サーバ送信データ記憶モジュール２１０、サーバ受信データ記憶モジュール２１５、ユーザデータ記憶モジュール２２０、画像・音声データ記憶モジュール２２５、画像・音声データ処理モジュール２３０を有している。
有線制御モジュール２０５は、サーバ送信データ記憶モジュール２１０、サーバ受信データ記憶モジュール２１５と接続されており、また通信回線（有線）３９０と接続されている。有線制御モジュール２０５は、広告を提示するための装置であるデジタルサイネージ装置１００に対して、通信回線（有線）３９０を介して広告情報（サーバ送信データ記憶モジュール２１０に記憶されている広告情報）を送信する。そして、有線制御モジュール２０５は、通信回線（有線）３９０を介してデジタルサイネージ装置１００から操作情報を受信して、サーバ受信データ記憶モジュール２１５に記憶させる。この操作情報は、デジタルサイネージ装置１００がユーザ端末３００から受信した操作情報であってもよい。
【００２８】
サーバ送信データ記憶モジュール２１０は、有線制御モジュール２０５、画像・音声データ処理モジュール２３０と接続されている。サーバ送信データ記憶モジュール２１０は、有線制御モジュール２０５がデジタルサイネージ装置１００に送信するデータを記憶する。具体的には、画像・音声データ処理モジュール２３０によって処理された広告情報である。
サーバ受信データ記憶モジュール２１５は、有線制御モジュール２０５、画像・音声データ処理モジュール２３０と接続されている。サーバ受信データ記憶モジュール２１５は、デジタルサイネージ装置１００から受信したデータを記憶する。そのデータには、少なくとも操作情報が含まれている。
【００２９】
ユーザデータ記憶モジュール２２０は、画像・音声データ処理モジュール２３０と接続されている。ユーザデータ記憶モジュール２２０は、デジタルサイネージ装置１００から送信されたデータであって、ユーザ端末３００から送信された操作情報を記憶している。
画像・音声データ記憶モジュール２２５は、画像・音声データ処理モジュール２３０と接続されている。画像・音声データ記憶モジュール２２５は、広告情報を記憶している。
画像・音声データ処理モジュール２３０は、サーバ送信データ記憶モジュール２１０、サーバ受信データ記憶モジュール２１５、ユーザデータ記憶モジュール２２０、画像・音声データ記憶モジュール２２５と接続されている。画像・音声データ処理モジュール２３０は、有線制御モジュール２０５が操作情報を受信した後、広告情報の情報量を減少させる変換を行う。具体的には、圧縮率を高める処理、画像を縮小する処理等の変換を行う。そして、その変換後の広告情報をサーバ送信データ記憶モジュール２１０に記憶させる。
そして、有線制御モジュール２０５は、画像・音声データ処理モジュール２３０によって変換された広告情報（サーバ送信データ記憶モジュール２１０に記憶されている広告情報）を、通信回線（有線）３９０を介してデジタルサイネージ装置１００に送信する。
また、有線制御モジュール２０５は、デジタルサイネージ装置１００から変換のための変数を受信してもよい。例えば、変数として、通信帯域の測定結果であってもよい。
その場合、画像・音声データ処理モジュール２３０は、その変数に基づいて広告情報の変換を行うようにしてもよい。
【００３０】
図３は、第１の実施の形態を利用したシステム構成例を示す説明図である。
デジタルサイネージ装置１００、サーバ装置２００は、通信回線（有線）３９０を介して接続されている。通信回線（有線）３９０は、例えば、通信インフラとしてのインターネット、イントラネット等であってもよい。また、デジタルサイネージ装置１００による機能（広告配信機能）は、クラウドサービスとして実現してもよい。サーバ装置２００からデジタルサイネージ装置１００に画像・音声データ３８０が送信され、デジタルサイネージ装置１００で広告情報である画像・音声データ３８０を提示する。
デジタルサイネージ装置１００とユーザ端末３００間の無線通信として、ＩＥＥＥ８０２．１１ａｄを用いるようにしてもよい。デジタルサイネージ装置１００で提示された広告情報を、ユーザ端末３００の所持者であるユーザが閲覧する。そのユーザは、ユーザ端末３００を操作して、広告の検索、指定等の操作を行う。それらの操作情報は、無線通信によってデジタルサイネージ装置１００に送信され、さらに、デジタルサイネージ装置１００からサーバ装置２００に送信される。サーバ装置２００は、その操作情報にしたがって、広告情報を検索し、送信する。ただし、操作情報を受け取った後は、操作情報を受け取る前よりも、広告情報の情報量を減少させて、送信を行う。したがって、操作が行われたとしても、広告の提示が途切れてしまうことを抑制することができる。
【００３１】
図３に例示のシステムによって、デジタルサイネージ装置１００の画像表示・音声出力とユーザオペレーションの双方向操作を提供する。
サーバ装置２００から画像・音声データ３８０をストリーミング通信しながら、デジタルサイネージ装置１００で、アンテナ３１０上でのユーザオペレーションの操作データを受信する。双方向操作のためには、サーバ装置２００とデジタルサイネージ装置１００間のデータ送受信のいずれかに遅延が生じると、動画内容と操作にずれが生じてしまう。そこで、例えば、通信状態を監視し、使用帯域を一定以下に保つことができるように、画像・データ通信量を減少させている。
サーバ装置２００からの画像・音声データ受信とユーザ端末３００からの操作データ受信が別経路で実行されることで、デジタルサイネージ装置１００の負荷が分散され、システム動作が安定する。双方向操作が開始されると、通信状態に応じた通信帯域保全が自動的に施されることで、画像内容と操作のずれを防ぐことができる。また、双方向操作が終了すると、自動的に元の画像・音声データ通信の状態に戻すようにしてもよい。双方向操作終了の検知方法として、例えば、ユーザ端末３００による操作が終了したことを検知したとしてもよいし、デジタルサイネージ装置１００がユーザ端末３００との無線通信ができなくなったこと（例えば、ユーザ端末３００とデジタルサイネージ装置１００の距離が、無線通信ができなくなる程度の距離になること等）を検知してもよい。
【００３２】
例えば、次に示すように使用される。
ユーザＳさんが休日にショッピングモールにやってきました。先週終えた仕事のごほうびに、新しい洋服を買おうと思っています。クリスマスを控え、どのお店もきれいにデコレートされ、ユーザＳさんもそれに負けないくらい、おしゃれな服や靴、めがねで着飾っています。身に着けているめがね（ユーザ端末３００）は、ウェアラブルカメラの機能がついており、メモ帳代わりに普段から使っています。ショッピングモールにはデジタルサイネージ装置１００のモニタがいくつか設置されていて、お店の商品や、クリスマスグッズを紹介する映像が流れています。洋服を紹介する映像（広告情報）が流れているモニタに近づくと、商品紹介の表示は小さくなり、普段目が留まっていたおしゃれな服装の方やウィンドウのディスプレイの映像がモニタに表示されていきます。その中で今日買おうと思っていた洋服に近い映像が表示されたときに、その洋服に対してユーザＳさんが右手を指し示すと、小さくなっていた映像が元のサイズに戻り、よく似た商品の映像やお店の場所の案内が流れ始めました。ユーザＳさんはモニタに案内されたお店に向かい、気に入った洋服を購入できました。
【００３３】
ここで、ユーザＳさんが右手を指し示す行為は、操作者の操作であって、広告選択の操作情報に該当するものである。つまり、身に着けているめがね（ユーザ端末３００）が、右手を指し示す行為を検知する。ユーザ端末３００は、指し示す行為とその行為が行われた日時（年、月、日、時、分、秒、秒以下、又はこれらの組み合わせであってもよい）をデジタルサイネージ装置１００に送信し、デジタルサイネージ装置１００はサーバ装置２００に送信する。サーバ装置２００は、デジタルサイネージ装置１００がその日時に提示していた洋服を特定し、その洋服に関する広告情報を抽出して、圧縮率をそれまでよりも高めて広告情報を変換して、デジタルサイネージ装置１００に送信する。デジタルサイネージ装置１００は、操作情報を受け取った後も、広告情報をスムーズに提示することができる。
また、身に着けているめがね（ユーザ端末３００）は、その指し示している先の洋服を検知するようにしてもよい。ユーザ端末３００は、デジタルサイネージ装置１００にその洋服を一意に示す情報（商品ＩＤ等）を送信し、デジタルサイネージ装置１００はサーバ装置２００にその商品ＩＤを送信し、サーバ装置２００は、その商品ＩＤに関する広告情報を抽出し、圧縮率をそれまでよりも高めて広告情報を変換して、デジタルサイネージ装置１００に送信するようにしてもよい。
【００３４】
図４は、第１の実施の形態による処理例を示すフローチャートである。
デジタルサイネージ装置１００に表示される画像や音声に対して、ユーザ端末３００から期待するサービスを得るための操作を実行するための処理例である。
まず、概要を説明する。
（１）サーバ装置２００から画像・音声データが配信され、デジタルサイネージ装置１００で画像表示、音声出力が実行される［ステップＳ４０２ａ、ステップＳ４０２ｂ］。
（２）スマートフォンなどのユーザ端末３００上でアプリケーションを起動する。ＢＬＥ  Ａｄｖｅｒｔｉｓｉｎｇを送出中のデジタルサイネージ装置１００を検索するためＢＬＥ  Ｓｃａｎを実行する［ステップＳ４０４ｂ、ステップＳ４０２ｃ］。
（３）デジタルサイネージ装置１００からユーザ端末３００に、Ｗｉ−Ｆｉ  Ｄｉｒｅｃｔ接続に使用するＳＳＩＤ、ＷＰＡ−ＰＳＫ  Ｐａｓｓｐｈｒａｓｅ、ＭＡＣアドレス情報がＢＬＥデータとして配信される［ステップＳ４０６ｂ、ステップＳ４０４ｃ］。
【００３５】
（４）デジタルサイネージ装置１００はＷｉ−Ｆｉ  Ｄｉｒｅｃｔ  ＧＯとしてＢｅａｃｏｎを配信する。ユーザ端末３００はＢＬＥデータで受信したＷｉ−Ｆｉ  Ｄｉｒｅｃｔ接続情報を用いて、Ｗｉ−Ｆｉ  Ｄｉｒｅｃｔの接続設定を実行する［ステップＳ４０８ｂ、ステップＳ４０６ｃ］。
（５）Ｗｉ−Ｆｉ  Ｄｉｒｅｃｔ接続情報を用いて、デジタルサイネージ装置１００とユーザ端末３００がＷｉ−Ｆｉ  Ｄｉｒｅｃｔで接続される［ステップＳ４１０ｂ、ステップＳ４０８ｃ］。
（６）デジタルサイネージ装置１００は、双方向操作の通信帯域を確保するために、サーバ装置２００に画像・音声パラメータ変更要求を送信し、サーバ装置２００からの応答を受け取る［ステップＳ４０４ａ、ステップＳ４１２ｂ］。
【００３６】
（７）デジタルサイネージ装置１００が測定した通信帯域情報をサーバ装置２００に送信し、サーバ装置２００は操作データ受信の帯域を空けるために、画像データの画質、解像度、エンコード方式などを変更した画質・音声データへの変換を実行する［ステップＳ４０６ａ、ステップＳ４１４ｂ］。
（８）サーバ装置２００から変換された画像・音声データが配信され、デジタルサイネージ装置１００で画像表示、音声出力の切り替えが実行される［ステップＳ４０８ａ、ステップＳ４１６ｂ］。
（９）ユーザ端末３００から操作データがデジタルサイネージ装置１００に送信される。ここでは、操作データはユーザ端末３００のカメラで撮影され、選択された画像データとする［ステップＳ４１８ｂ、ステップＳ４１０ｃ］。
【００３７】
（１０）デジタルサイネージ装置１００からサーバ装置２００にユーザ端末３００からの操作データが送信される［ステップＳ４１０ａ、ステップＳ４２０ｂ］。
（１１）サーバ装置２００でユーザ端末３００から受信した画像データを解析し、サーバ装置２００内で類似な特徴を有する商品を抽出する［ステップＳ４１２ａ］。
（１２）サーバ装置２００で操作データから抽出された商品の画像・音声データの変換を実行する［ステップＳ４１４ａ］。
【００３８】
（１３）サーバ装置２００から変換された画像・音声データが配信され、デジタルサイネージ装置１００で画像表示、音声出力の切り替えが実行される［ステップＳ４１６ａ、ステップＳ４２２ｂ］。
（１４）デジタルサイネージ装置１００から流れる画像や音声が期待する商品であった場合、ユーザ端末３００の操作終了を選択する。期待する商品と異なっていた場合、別のユーザ端末３００内の画像データを操作データとして選択する。以後、［ステップＳ４１８ｂ、ステップＳ４１０ｃ］から実行される［ステップＳ４１２ｃ］。
（１５）ユーザ端末３００の双方向操作の終了が確認されると、デジタルサイネージ装置１００はサーバ装置２００に通常の画像・音声パラメータに戻す要求を送信する［ステップＳ４１８ａ、ステップＳ４２４ｂ］。
（１６）サーバ装置２００から変換された画像・音声データが配信され、デジタルサイネージ装置１００で画像表示、音声出力の切り替えが実行される［ステップＳ４２０ａ、ステップＳ４２６ｂ］。
【００３９】
詳細に説明する。
ステップＳ４０２ａでは、サーバ装置２００はデジタルサイネージ装置１００に対して、画像・音声データを配信する（Ｄａｔａ  Ｓｅｎｄ）。
ステップＳ４０２ｂでは、デジタルサイネージ装置１００は、画像表示・音声出力を行う。
ステップＳ４０４ｂでは、デジタルサイネージ装置１００はユーザ端末３００に対して、自機情報を通知する（ＢＬＥ  Ｐｅｒｉｐｈｅｒａｌ、Ａｄｖｅｒｔｉｓｉｎｇ）。
ステップＳ４０２ｃでは、ユーザ端末３００は、デジタルサイネージ装置１００を検索する（ＢＬＥ  Ｃｅｎｔｒａｌ、Ｓｃａｎ）。
【００４０】
ステップＳ４０６ｂでは、デジタルサイネージ装置１００はユーザ端末３００に対して、Ｗｉ−Ｆｉ  Ｄｉｒｅｃｔ接続情報を通知する（Ｄａｔａ  Ｓｅｎｄ）。
ステップＳ４０４ｃでは、ユーザ端末３００はデジタルサイネージ装置１００より、Ｗｉ−Ｆｉ  Ｄｉｒｅｃｔ接続情報を受信する（Ｄａｔａ  Ｒｅｑｕｅｓｔ）。
ステップＳ４０８ｂでは、デジタルサイネージ装置１００はユーザ端末３００に対して、Ｗｉ−Ｆｉ  Ｄｉｒｅｃｔ  Ｂｅａｃｏｎを送出する（Ｗｉ−Ｆｉ  Ｄｉｒｅｃｔ  ＧＯ、Ｂｅａｃｏｎ）。
ステップＳ４０６ｃでは、ユーザ端末３００は、Ｗｉ−Ｆｉ  Ｄｉｒｅｃｔ接続設定を行う（Ｗｉ−Ｆｉ  Ｄｉｒｅｃｔ  Ｃｌｉｅｎｔ）。
ステップＳ４０８ｃでは、ユーザ端末３００は、Ｗｉ−Ｆｉ  Ｄｉｒｅｃｔ接続処理を行う（Ｒｅｑｕｅｓｔ）。
ステップＳ４１０ｂでは、デジタルサイネージ装置１００は、Ｗｉ−Ｆｉ  Ｄｉｒｅｃｔ接続処理を行う（Ｒｅｓｐｏｎｓｅ）。
【００４１】
ステップＳ４１２ｂでは、デジタルサイネージ装置１００はサーバ装置２００に対して、画像・音声パラメータ変更を要求する（Ｒｅｑｕｅｓｔ）。
ステップＳ４０４ａでは、サーバ装置２００はデジタルサイネージ装置１００より、画像・音声パラメータ変更要求を受信する（Ｒｅｓｐｏｎｓｅ）。
ステップＳ４１４ｂでは、デジタルサイネージ装置１００はサーバ装置２００に対して、通信帯域測定結果を通知する（Ｄａｔａ  Ｓｅｎｄ）。
ステップＳ４０６ａでは、サーバ装置２００は、画像・音声データを変換する。
ステップＳ４０８ａでは、サーバ装置２００はデジタルサイネージ装置１００に対して、画像・音声データを配信する（Ｄａｔａ  Ｓｅｎｄ）。
ステップＳ４１６ｂでは、デジタルサイネージ装置１００は、画像表示・音声出力を行う。
【００４２】
ステップＳ４１０ｃでは、ユーザ端末３００はデジタルサイネージ装置１００に対して、操作データを送信する（Ｄａｔａ  Ｓｅｎｄ）。
ステップＳ４１８ｂでは、デジタルサイネージ装置１００はユーザ端末３００より、操作データを受信する。
ステップＳ４２０ｂでは、デジタルサイネージ装置１００はサーバ装置２００に対して、操作データを送信する（Ｄａｔａ  Ｓｅｎｄ）。
ステップＳ４１０ａでは、サーバ装置２００はデジタルサイネージ装置１００より、操作データを受信する。
ステップＳ４１２ａでは、サーバ装置２００は、操作データを解析する。
ステップＳ４１４ａでは、サーバ装置２００は、画像・音声データを変換する。
ステップＳ４１６ａでは、サーバ装置２００はデジタルサイネージ装置１００に対して、画像・音声データを配信する（Ｄａｔａ  Ｓｅｎｄ）。
ステップＳ４２２ｂでは、デジタルサイネージ装置１００は、画像表示・音声出力を行う。
ステップＳ４２４ｂでは、デジタルサイネージ装置１００はサーバ装置２００に対して、画像・音声パラメータ変更を要求する（Ｒｅｑｕｅｓｔ）。
ステップＳ４１８ａでは、サーバ装置２００はデジタルサイネージ装置１００より、画像・音声パラメータ変更要求を受信する（Ｒｅｓｐｏｎｓｅ）。
ステップＳ４２０ａでは、サーバ装置２００はデジタルサイネージ装置１００に対して、画像・音声データを配信する（Ｄａｔａ  Ｓｅｎｄ）。
ステップＳ４２６ｂでは、デジタルサイネージ装置１００は、画像表示・音声出力を行う。
【００４３】
ステップＳ４１２ｃでは、ユーザ端末３００は、ユーザによる操作があったか否かを判断し、操作があった場合はステップＳ４１０ｃへ戻り、それ以外の場合は処理を終了する（ステップＳ４９９ｃ）。
【００４４】
図５は、第１の実施の形態による別の処理例を示すフローチャートである。ＷｉＧｉｇ無線接続時のデジタルサイネージ装置１００での双方向操作の処理例を示すものである。
まず、概要を説明する。
（１）サーバ装置２００から画像・音声データが配信され、デジタルサイネージ装置１００で画像表示、音声出力が実行される［ステップＳ５０２ａ、ステップＳ５０２ｂ］。
（２）デジタルサイネージ装置１００はＷｉＧｉｇ  ＰＣＰ／ＡＰとしてＢｅａｃｏｎを送出する。ＷｉＧｉｇ  Ｓｔａｔｉｏｎのユーザ端末３００との間でビームフォーミング（セクタースイープ、ビームフォーミング・トレーニング）を実行し、相互のアンテナの指向性を調整する［ステップＳ５０４ｂ、ステップＳ５０２ｃ］。
（３）デジタルサイネージ装置１００とユーザ端末３００間でＷｉＧｉｇ接続の接続処理が実行され、Ｐｅｅｒ−ｔｏ−ｐｅｅｒ接続される［ステップＳ５０６ｂ、ステップＳ５０４ｃ］。
【００４５】
（４）デジタルサイネージ装置１００は、双方向操作の通信帯域を確保するために、サーバ装置２００に画像・音声パラメータ変更要求を送信し、サーバ装置２００からの応答を受け取る［ステップＳ５０４ａ、ステップＳ５０８ｂ］。
（５）デジタルサイネージ装置１００が測定した通信帯域情報をサーバ装置２００に送信し、サーバ装置２００は操作データ受信の帯域を空けるために、画像データの画質、解像度、エンコード方式などを変更した画質・音声データへの変換を実行する［ステップＳ５０６ａ、ステップＳ５１０ｂ］。
（６）サーバ装置２００から変換された画像・音声データが配信され、デジタルサイネージ装置１００で画像表示、音声出力の切り替えが実行される［ステップＳ５０８ａ、ステップＳ５１２ｂ］。
【００４６】
（７）デジタルサイネージ装置１００からユーザ端末３００に、現在流れている画像・音声データの特徴を示すタグ情報が送信される［ステップＳ５１４ｂ、ステップＳ５０６ｃ］。
（８）ユーザ端末３００から操作データがデジタルサイネージ装置１００に送信される。このフローチャートの処理例では、操作データはユーザ端末３００のカメラで撮影された画像データから、［ステップＳ５１４ｂ、ステップＳ５０６ｃ］で受信したタグ情報に該当するデータを自動選択した画像データセットを操作データとする［ステップＳ５１６ｂ、ステップＳ５０８ｃ］。
（９）デジタルサイネージ装置１００からサーバ装置２００にユーザ端末３００からの操作データが送信される［ステップＳ５１０ａ、ステップＳ５１８ｂ］。
【００４７】
（１０）サーバ装置２００でユーザ端末３００から受信した画像データを解析し、サーバ装置２００内で類似な特徴を有する商品を抽出する［ステップＳ５１２ａ］。
（１１）サーバ装置２００で操作データから抽出された商品の画像・音声データの変換を実行する［ステップＳ５１４ａ］。
（１２）サーバ装置２００から変換された画像・音声データが配信され、デジタルサイネージ装置１００で画像表示、音声出力の切り替えが実行される［ステップＳ５１６ａ、ステップＳ５２０ｂ］。
【００４８】
（１３）デジタルサイネージ装置１００から流れる画像や音声が期待する商品であった場合、ユーザは双方向操作終了を示すジェスチャーを行う。デジタルサイネージ装置１００はカメラ撮影した映像を解析し操作終了を認識する。期待する商品と異なっていた場合、ユーザが商品変更を示すジェスチャーを行うことで、再検索を指示する操作データを送信する。以後、［ステップＳ５１６ｂ、ステップＳ５０８ｃ］から実行される［ステップＳ５１０ｃ］。
（１４）ユーザ端末３００の双方向操作の終了が確認されると、デジタルサイネージ装置１００はサーバ装置２００に通常の画像・音声パラメータに戻す要求を送信する［ステップＳ５１８ａ、ステップＳ５２２ｂ］。
（１５）サーバ装置２００から変換された画像・音声データが配信され、デジタルサイネージ装置１００で画像表示、音声出力の切り替えが実行される［ステップＳ５２０ａ、ステップＳ５２４ｂ］。
【００４９】
詳細に説明する。
ステップＳ５０２ａでは、サーバ装置２００はデジタルサイネージ装置１００に対して、画像・音声データを配信する（Ｄａｔａ  Ｓｅｎｄ）。
ステップＳ５０２ｂでは、デジタルサイネージ装置１００は、画像表示・音声出力を行う。
ステップＳ５０４ｂでは、デジタルサイネージ装置１００は、ビームフォーミングを行う（ＷｉＧｉｇ  ＰＣＰ／ＡＰ、Ｂｅａｃｏｎ、ＰＣＰ：ＰＢＳＳ  Ｃｅｎｔｒａｌ  Ｐｏｉｎｔ、ＰＢＳＳ：Ｐｅｒｓｏｎａｌ  Ｂａｓｉｃ  Ｓｅｒｖｉｃｅ  Ｓｅｔ）。ビームフォーミングとして、（１）セクタースイープ、（２）ビームフォーミング・トレーニング、の２段階の処理を行う。
ステップＳ５０２ｃでは、ユーザ端末３００は、ビームフォーミングを行う（ＷｉＧｉｇ  Ｓｔａｔｉｏｎ）。
【００５０】
ステップＳ５０６ｂでは、デジタルサイネージ装置１００は、ＷｉＧｉｇ接続処理を行う（Ｗｉ−Ｆｉ  Ｄｉｒｅｃｔ  ＧＯ、Ｒｅｓｐｏｎｓｅ）。
ステップＳ５０４ｃでは、ユーザ端末３００は、ＷｉＧｉｇ接続処理を行う（Ｒｅｑｕｅｓｔ）。
ステップＳ５０８ｂでは、デジタルサイネージ装置１００はサーバ装置２００に対して、画像・音声パラメータ変更を要求する（Ｒｅｑｕｅｓｔ）。
ステップＳ５０４ａでは、サーバ装置２００はデジタルサイネージ装置１００より、画像・音声パラメータ変更要求を受信する（Ｒｅｓｐｏｎｓｅ）。
ステップＳ５１０ｂでは、デジタルサイネージ装置１００はサーバ装置２００に対して、通信帯域測定結果を通知する（Ｄａｔａ  Ｓｅｎｄ）。
ステップＳ５０６ａでは、サーバ装置２００は、画像・音声データを変換する。
ステップＳ５０８ａでは、サーバ装置２００はデジタルサイネージ装置１００に対して、画像・音声データを配信する（Ｄａｔａ  Ｓｅｎｄ）。
ステップＳ５１２ｂでは、デジタルサイネージ装置１００は、画像表示・音声出力を行う。
【００５１】
ステップＳ５１４ｂでは、デジタルサイネージ装置１００はユーザ端末３００に対して、画像・音声データタグ情報を送信する（Ｄａｔａ  Ｓｅｎｄ）。
ステップＳ５０６ｃでは、ユーザ端末３００は、タグ情報関連画像を抽出する。
ステップＳ５０８ｃでは、ユーザ端末３００はデジタルサイネージ装置１００に対して、操作データを送信する（Ｄａｔａ  Ｓｅｎｄ）。
ステップＳ５１６ｂでは、デジタルサイネージ装置１００はユーザ端末３００より、操作データを受信する。
【００５２】
ステップＳ５１８ｂでは、デジタルサイネージ装置１００はサーバ装置２００に対して、操作データを送信する（Ｄａｔａ  Ｓｅｎｄ）。
ステップＳ５１０ａでは、サーバ装置２００はデジタルサイネージ装置１００より、操作データを受信する。
ステップＳ５１２ａでは、サーバ装置２００は、操作データを解析する。
ステップＳ５１４ａでは、サーバ装置２００は、画像・音声データを変換する。
ステップＳ５１６ａでは、サーバ装置２００はデジタルサイネージ装置１００に対して、画像・音声データを配信する（Ｄａｔａ  Ｓｅｎｄ）。
ステップＳ５２０ｂでは、デジタルサイネージ装置１００は、画像表示・音声出力を行う。
【００５３】
ステップＳ５２２ｂでは、デジタルサイネージ装置１００はサーバ装置２００に対して、画像・音声パラメータ変更を要求する（Ｒｅｑｕｅｓｔ）。
ステップＳ５１８ａでは、サーバ装置２００はデジタルサイネージ装置１００より、画像・音声パラメータ変更要求を受信する（Ｒｅｓｐｏｎｓｅ）。
ステップＳ５２０ａでは、サーバ装置２００はデジタルサイネージ装置１００に対して、画像・音声データを配信する（Ｄａｔａ  Ｓｅｎｄ）。
ステップＳ５２４ｂでは、デジタルサイネージ装置１００は、画像表示・音声出力を行う。
【００５４】
ステップＳ５１０ｃでは、ユーザ端末３００は、ユーザによる操作があったか否かを判断し、操作があった場合はステップＳ５０８ｃへ戻り、それ以外の場合は処理を終了する（ステップＳ５９９ｃ）。
【００５５】
＜＜第２の実施の形態＞＞
図６は、第２の実施の形態（ゲートウェイ装置６００）の構成例についての概念的なモジュール構成図である。
第２の実施の形態（ゲートウェイ装置６００）は、図６の例に示すように、有線制御モジュール６０５、アンテナ６１０、サーバ受信データ記憶モジュール６１５、サーバ送信データ記憶モジュール６２０、無線制御モジュール６２５、ユーザデータ記憶モジュール６３０、画像・音声データ処理モジュール６３５を有している。ゲートウェイ装置６００は、ユーザ端末８００と無線通信可能であって、サーバ装置７００と通信回線（有線）９９０を介して通信可能である。このユーザ端末８００との無線通信として、ＩＥＥＥ８０２．１１ａｄを用いるようにしてもよい。
【００５６】
有線制御モジュール６０５は、サーバ受信データ記憶モジュール６１５、サーバ送信データ記憶モジュール６２０と接続されており、また通信回線（有線）９９０と接続されている。有線制御モジュール６０５は、通信回線（有線）９９０（例えば、Ｅｔｈｅｒｎｅｔ等）を介して、サーバ装置７００と通信を行う。
サーバ受信データ記憶モジュール６１５は、有線制御モジュール６０５、画像・音声データ処理モジュール６３５と接続されている。サーバ受信データ記憶モジュール６１５は、有線制御モジュール６０５が受信したデータ（サーバ装置７００から受信した広告情報）を記憶する。ここで「広告情報」として、広告内容を示す画像情報（静止画像情報、動画情報を含む）、音声情報、又は、これらの組み合わせの情報を含む。
サーバ送信データ記憶モジュール６２０は、有線制御モジュール６０５、画像・音声データ処理モジュール６３５と接続されている。サーバ送信データ記憶モジュール６２０は、有線制御モジュール６０５がサーバ装置７００に送信するデータを記憶する。具体的には、ユーザ端末８００から送信された操作情報（ユーザデータ記憶モジュール６３０によって記憶されているデータであって、ユーザ端末８００から受信した操作情報である）を記憶する。
【００５７】
アンテナ６１０は、無線制御モジュール６２５と接続されている。アンテナ６１０は、ユーザ端末８００と無線通信を行うためのものである。アンテナ６１０は、ＩＥＥＥ８０２．１１ａｄを利用することができるものであってもよい。
無線制御モジュール６２５は、アンテナ６１０、ユーザデータ記憶モジュール６３０、画像・音声データ処理モジュール６３５と接続されている。無線制御モジュール６２５は、アンテナ６１０を介して、ユーザ端末８００との無線通信を制御する。具体的には、ユーザ端末８００から操作情報を受信し、その操作情報に対してのサーバ装置７００からの返信をユーザ端末８００に送信する。
ユーザデータ記憶モジュール６３０は、無線制御モジュール６２５、画像・音声データ処理モジュール６３５と接続されている。ユーザデータ記憶モジュール６３０は、無線制御モジュール６２５がユーザ端末８００から受信したデータを記憶する。記憶するデータとして、例えば、ユーザが見たい広告を検索したり、広告を指定したりする操作等を示す操作情報が該当する。
【００５８】
画像・音声データ処理モジュール６３５は、サーバ受信データ記憶モジュール６１５、サーバ送信データ記憶モジュール６２０、無線制御モジュール６２５、ユーザデータ記憶モジュール６３０と接続されている。画像・音声データ処理モジュール６３５は、広告情報である画像表示するデータ、音声出力するデータを出力可能なデータに変換処理する。
【００５９】
図７は、第２の実施の形態（サーバ装置７００）の構成例についての概念的なモジュール構成図である。
第２の実施の形態（サーバ装置７００）は、図７の例に示すように、有線制御モジュール７０５、サーバ送信データ記憶モジュール７１０、サーバ受信データ記憶モジュール７１５、ユーザデータ記憶モジュール７２０、画像・音声データ記憶モジュール７２５、画像・音声データ処理モジュール７３０を有している。
有線制御モジュール７０５は、サーバ送信データ記憶モジュール７１０、サーバ受信データ記憶モジュール７１５と接続されており、また通信回線（有線）９９０と接続されている。有線制御モジュール７０５は、広告を提示するための装置であるユーザ端末８００に対して、通信回線（有線）９９０、ゲートウェイ装置６００を介して広告情報（サーバ送信データ記憶モジュール７１０に記憶されている広告情報）を送信する。そして、有線制御モジュール７０５は、通信回線（有線）９９０を介してユーザ端末８００から操作情報を受信して、サーバ受信データ記憶モジュール７１５に記憶させる。この操作情報は、ゲートウェイ装置６００がユーザ端末８００から受信した操作情報であってもよい。
【００６０】
サーバ送信データ記憶モジュール７１０は、有線制御モジュール７０５、画像・音声データ処理モジュール７３０と接続されている。サーバ送信データ記憶モジュール７１０は、有線制御モジュール７０５がゲートウェイ装置６００に送信するデータを記憶する。具体的には、画像・音声データ処理モジュール７３０によって処理された広告情報である。
サーバ受信データ記憶モジュール７１５は、有線制御モジュール７０５、画像・音声データ処理モジュール７３０と接続されている。サーバ受信データ記憶モジュール７１５は、ゲートウェイ装置６００から受信したデータを記憶する。そのデータには、少なくとも操作情報が含まれている。
【００６１】
ユーザデータ記憶モジュール７２０は、画像・音声データ処理モジュール７３０と接続されている。ユーザデータ記憶モジュール７２０は、ゲートウェイ装置６００から送信されたデータであって、ユーザ端末８００から送信された操作情報を記憶している。
画像・音声データ記憶モジュール７２５は、画像・音声データ処理モジュール７３０と接続されている。画像・音声データ記憶モジュール７２５は、広告情報を記憶している。
画像・音声データ処理モジュール７３０は、サーバ送信データ記憶モジュール７１０、サーバ受信データ記憶モジュール７１５、ユーザデータ記憶モジュール７２０、画像・音声データ記憶モジュール７２５と接続されている。画像・音声データ処理モジュール７３０は、有線制御モジュール７０５が操作情報を受信した後、広告情報の情報量を減少させる変換を行う。具体的には、圧縮率を高める処理、画像を縮小する処理等の変換を行う。そして、その変換後の広告情報をサーバ送信データ記憶モジュール７１０に記憶させる。
そして、有線制御モジュール７０５は、画像・音声データ処理モジュール７３０によって変換された広告情報（サーバ送信データ記憶モジュール７１０に記憶されている広告情報）を、通信回線（有線）９９０を介してゲートウェイ装置６００に送信する。
また、有線制御モジュール７０５は、ゲートウェイ装置６００から変換のための変数を受信してもよい。例えば、変数として、通信帯域の測定結果であってもよい。
その場合、画像・音声データ処理モジュール７３０は、その変数に基づいて広告情報の変換を行うようにしてもよい。
【００６２】
図８は、第２の実施の形態（ユーザ端末８００）の構成例についての概念的なモジュール構成図である。
第２の実施の形態（ユーザ端末８００）は、図８の例に示すように、アンテナ８０５、無線制御モジュール８１０、送信データ記憶モジュール８１５、受信データ記憶モジュール８２０、ユーザデータ記憶モジュール８２５、画像・音声データ処理モジュール８３０、画像表示モジュール８３５、音声出力モジュール８４０、タッチパネル操作モジュール８４５、モニタ機能制御モジュール８５０を有している。
アンテナ８０５は、無線制御モジュール８１０と接続されている。アンテナ８０５は、ゲートウェイ装置６００と無線通信を行うためのものである。アンテナ８０５は、ＩＥＥＥ８０２．１１ａｄを利用することができるものであってもよい。
無線制御モジュール８１０は、アンテナ８０５、送信データ記憶モジュール８１５、受信データ記憶モジュール８２０、ユーザデータ記憶モジュール８２５、画像・音声データ処理モジュール８３０と接続されている。無線制御モジュール８１０は、アンテナ８０５を介して、ゲートウェイ装置６００との無線通信を制御する。具体的には、ゲートウェイ装置６００に操作情報を送信し、その操作情報に対してのサーバ装置７００からの返信をゲートウェイ装置６００を介して受信する。
【００６３】
送信データ記憶モジュール８１５は、無線制御モジュール８１０、画像・音声データ処理モジュール８３０と接続されている。送信データ記憶モジュール８１５は、ユーザ端末８００がゲートウェイ装置６００を介してサーバ装置７００に送信するデータを記憶する。
受信データ記憶モジュール８２０は、無線制御モジュール８１０、画像・音声データ処理モジュール８３０と接続されている。受信データ記憶モジュール８２０は、アンテナ８０５が受信したデータ（ゲートウェイ装置６００から受信した広告情報）を記憶する。ここで「広告情報」として、広告内容を示す画像情報（静止画像情報、動画情報を含む）、音声情報、又は、これらの組み合わせの情報を含む。
ユーザデータ記憶モジュール８２５は、無線制御モジュール８１０、画像・音声データ処理モジュール８３０と接続されている。ユーザデータ記憶モジュール８２５は、タッチパネル操作モジュール８４５が受け付けた操作情報を記憶する。この操作情報は、アンテナ８０５によって、ゲートウェイ装置６００を介してサーバ装置７００に送信される。例えば、ユーザが見たい広告を検索したり、広告を指定したりする操作等を示す操作情報が該当する。
【００６４】
画像・音声データ処理モジュール８３０は、無線制御モジュール８１０、送信データ記憶モジュール８１５、受信データ記憶モジュール８２０、ユーザデータ記憶モジュール８２５、モニタ機能制御モジュール８５０と接続されている。画像・音声データ処理モジュール８３０は、広告情報である画像表示するデータ、音声出力するデータを出力可能なデータに変換処理する。
モニタ機能制御モジュール８５０は、画像・音声データ処理モジュール８３０、画像表示モジュール８３５、音声出力モジュール８４０、タッチパネル操作モジュール８４５と接続されている。モニタ機能制御モジュール８５０は、画像表示モジュール８３５、音声出力モジュール８４０、タッチパネル操作モジュール８４５を制御して、画像・音声データ処理モジュール８３０によって処理された広告情報を提示する。
画像表示モジュール８３５は、モニタ機能制御モジュール８５０と接続されている。画像表示モジュール８３５は、液晶ディスプレイ等の表示装置であって、モニタ機能制御モジュール８５０の制御にしたがって、広告情報である画像、動画等を表示する。
音声出力モジュール８４０は、モニタ機能制御モジュール８５０と接続されている。音声出力モジュール８４０は、スピーカー等の音声出力装置であって、モニタ機能制御モジュール８５０の制御にしたがって、広告情報である音声情報を出力する。
タッチパネル操作モジュール８４５は、モニタ機能制御モジュール８５０と接続されている。タッチパネル操作モジュール８４５は、タッチパネル等であって、ユーザの操作（操作情報）を受け付け、その操作情報をモニタ機能制御モジュール８５０（ユーザデータ記憶モジュール８２５）に渡す。
【００６５】
図９は、第２の実施の形態を利用したシステム構成例を示す説明図である。
ゲートウェイ装置６００、サーバ装置７００は、通信回線（有線）９９０を介して接続されている。通信回線（有線）９９０は、例えば、通信インフラとしてのインターネット、イントラネット等であってもよい。また、サーバ装置７００による機能（広告配信機能）は、クラウドサービスとして実現してもよい。サーバ装置７００からゲートウェイ装置６００に画像・音声データ９８０が送信され、さらにゲートウェイ装置６００のアンテナ６１０からユーザ端末８００のアンテナ８０５に送信され、ユーザ端末８００で広告情報である画像・音声データ９８０を提示する。
ゲートウェイ装置６００とユーザ端末８００間の無線通信として、ＩＥＥＥ８０２．１１ａｄを用いるようにしてもよい。ユーザ端末８００で提示された広告情報を、ユーザ端末８００の所持者であるユーザが閲覧する。そのユーザは、ユーザ端末８００を操作して、広告の検索、指定等の操作を行う。それらの操作情報は、無線通信によってゲートウェイ装置６００に送信され、さらに、ゲートウェイ装置６００からサーバ装置７００に送信される。サーバ装置７００は、その操作情報にしたがって、広告情報を検索し、送信する。ただし、操作情報を受け取った後は、操作情報を受け取る前よりも、広告情報の情報量を減少させて、送信を行う。したがって、操作が行われたとしても、広告の提示が途切れてしまうことを抑制することができる。
【００６６】
図１０は、第２の実施の形態による処理例を示すフローチャートである。ユーザ端末８００上のデジタルサイネージ機能の双方向操作処理例を示すものである。
まず、概要を説明する。
（１）サーバ装置７００から配信された画像・音声データが配信され、ゲートウェイ装置６００で受信が行われる［ステップＳ１００２ａ、ステップＳ１００２ｂ］。
（２）ゲートウェイ装置６００はＷｉＧｉｇ  ＰＣＰ／ＡＰとしてＢｅａｃｏｎを送出する。ＷｉＧｉｇ  Ｓｔａｔｉｏｎのユーザ端末８００との間でビームフォーミング（セクタースイープ、ビームフォーミング・トレーニング）を実行し、相互のアンテナの指向性を調整する［ステップＳ１００４ｂ、ステップＳ１００２ｃ］。
（３）ゲートウェイ装置６００とユーザ端末８００間でＷｉＧｉｇ接続の接続処理が実行され、Ｐｅｅｒ−ｔｏ−ｐｅｅｒ接続される［ステップＳ１００６ｂ、ステップＳ１００４ｃ］。
【００６７】
（４）ユーザ端末８００は、双方向操作の通信帯域を確保するために、ゲートウェイ装置６００に画像・音声パラメータ変更要求を送信し、ゲートウェイ装置６００からの応答を受け取る［ステップＳ１００８ｂ、ステップＳ１００６ｃ］。
（５）ユーザ端末８００が測定した通信帯域情報をゲートウェイ装置６００に送信し、ゲートウェイ装置６００は操作データ受信の帯域を空けるために、画像データの画質、解像度、エンコード方式などを変更した画質・音声データへの変換を実行する［ステップＳ１０１０ｂ、ステップＳ１００８ｃ］。
（６）ゲートウェイ装置６００から変換された画像・音声データが配信され、ユーザ端末８００で画像表示、音声出力の切り替えが実行される。 ［ステップＳ１０１２ｂ、ステップＳ１０１０ｃ］。
【００６８】
（７）ゲートウェイ装置６００からユーザ端末８００に、現在流れている画像・音声データの特徴を示すタグ情報が送信される［ステップＳ１０１４ｂ、ステップＳ１０１２ｃ］。
（８）ユーザ端末８００から操作データがゲートウェイ装置６００に送信される。このフローチャートの処理例では、操作データはユーザ端末８００のカメラで撮影された画像データから、［ステップＳ１０１４ｂ、ステップＳ１０１２ｃ］で受信したタグ情報に該当するデータを自動選択した画像データセットを操作データとする［ステップＳ１０１６ｂ、ステップＳ１０１４ｃ］。
（９）ゲートウェイ装置６００からサーバ装置７００にユーザ端末８００からの操作データが送信される［ステップＳ１００４ａ、ステップＳ１０１８ｂ］。
【００６９】
（１０）サーバ装置７００でユーザ端末８００から受信した画像データを解析し、サーバ装置７００内で類似な特徴を有する商品を抽出する［ステップＳ１００６ａ］。
（１１）サーバ装置７００で操作データから抽出された商品の画像・音声データをゲートウェイ装置６００に配信する。また、ユーザ端末８００が測定した通信帯域の更新情報がゲートウェイ装置６００に送信される。ゲートウェイ装置６００は通信帯域情報に基づき、サーバ装置７００から受信した画像・音声データを変換する［ステップＳ１００８ａ、ステップＳ１０２０ｂ、ステップＳ１０１６ｃ］。
（１２）ゲートウェイ装置６００から変換された画像・音声データが配信され、ユーザ端末８００で画像表示、音声出力の切り替えが実行される［ステップＳ１０２２ｂ、ステップＳ１０１８ｃ］。
（１３）ユーザ端末８００で流れる画像や音声が期待する商品であった場合、ユーザはユーザ端末８００上で双方向操作終了の操作を行う。期待する商品と異なっていた場合、ユーザがユーザ端末８００上で別商品の紹介を要求することで、再検索を指示する操作データを送信する。以後、［ステップＳ１０１６ｂ、ステップＳ１０１４ｃ］から実行される［ステップＳ１０２０ｃ］。
【００７０】
詳細に説明する。
ステップＳ１００２ａでは、サーバ装置７００はゲートウェイ装置６００に対して、画像・音声データを配信する（Ｄａｔａ  Ｓｅｎｄ）。
ステップＳ１００２ｂでは、ゲートウェイ装置６００はサーバ装置７００より、画像・音声データを受信する。
ステップＳ１００４ｂでは、ゲートウェイ装置６００は、ビームフォーミングを行う（ＷｉＧｉｇ  ＰＣＰ／ＡＰ、Ｂｅａｃｏｎ）。
ステップＳ１００２ｃでは、ユーザ端末８００は、ビームフォーミングを行う（ＷｉＧｉｇ  Ｓｔａｔｉｏｎ）。
【００７１】
ステップＳ１００６ｂでは、ゲートウェイ装置６００は、ＷｉＧｉｇ接続処理を行う（Ｒｅｓｐｏｎｓｅ）。
ステップＳ１００４ｃでは、ユーザ端末８００は、ＷｉＧｉｇ接続処理を行う（Ｒｅｑｕｅｓｔ）。
ステップＳ１００６ｃでは、ユーザ端末８００はゲートウェイ装置６００に対して、画像・音声パラメータ変更を要求する（Ｒｅｑｕｅｓｔ）。
ステップＳ１００８ｂでは、ゲートウェイ装置６００はユーザ端末８００より、画像・音声パラメータ変更要求を受信する（Ｒｅｓｐｏｎｓｅ）。
ステップＳ１００８ｃでは、ユーザ端末８００はゲートウェイ装置６００に対して、通信帯域測定結果を通知する（Ｄａｔａ  Ｓｅｎｄ）。
ステップＳ１０１０ｂでは、ゲートウェイ装置６００は、画像・音声データを変換する。
ステップＳ１０１２ｂでは、ゲートウェイ装置６００はユーザ端末８００に対して、画像・音声データを配信する（Ｄａｔａ  Ｓｅｎｄ）。
ステップＳ１０１０ｃでは、ユーザ端末８００は、画像表示・音声出力を行う。
ステップＳ１０１４ｂでは、ゲートウェイ装置６００はユーザ端末８００に対して、画像・音声データタグ情報を送信する（Ｄａｔａ  Ｓｅｎｄ）。
ステップＳ１０１２ｃでは、ユーザ端末８００は、タグ情報関連画像を抽出する。
【００７２】
ステップＳ１０１４ｃでは、ユーザ端末８００はゲートウェイ装置６００に対して、操作データを送信する（Ｄａｔａ  Ｓｅｎｄ）。
ステップＳ１０１６ｂでは、ゲートウェイ装置６００はユーザ端末８００より、操作データを受信する。
ステップＳ１０１８ｂでは、ゲートウェイ装置６００はサーバ装置７００に対して、操作データを送信する（Ｄａｔａ  Ｓｅｎｄ）。
ステップＳ１００４ａでは、サーバ装置７００はゲートウェイ装置６００より、操作データを受信する。
ステップＳ１００６ａでは、サーバ装置７００は、操作データを解析する。
【００７３】
ステップＳ１００８ａでは、サーバ装置７００はゲートウェイ装置６００に対して、画像・音声データを配信する（Ｄａｔａ  Ｓｅｎｄ）。
ステップＳ１０１６ｃでは、ユーザ端末８００はゲートウェイ装置６００に対して、通信帯域測定結果を通知する（Ｄａｔａ  Ｓｅｎｄ）。
ステップＳ１０２０ｂでは、ゲートウェイ装置６００は、画像・音声データを変換する。
ステップＳ１０２２ｂでは、ゲートウェイ装置６００はユーザ端末８００に対して、画像・音声データを配信する（Ｄａｔａ  Ｓｅｎｄ）。
ステップＳ１０１８ｃでは、ユーザ端末８００は、画像表示・音声出力を行う。
ステップＳ１０２０ｃでは、ユーザ端末８００は、ユーザによる操作があったか否かを判断し、操作があった場合はステップＳ１０１４ｃへ戻り、それ以外の場合は処理を終了する（ステップＳ１０９９ｃ）。
【００７４】
なお、本実施の形態（デジタルサイネージ装置１００、サーバ装置２００、ユーザ端末３００、ゲートウェイ装置６００、サーバ装置７００、ユーザ端末８００）としてのプログラムが実行されるコンピュータのハードウェア構成は、図１１に例示するように、一般的なコンピュータであり、具体的にはパーソナルコンピュータ、サーバとなり得るコンピュータ等である。つまり、具体例として、処理部（演算部）としてＣＰＵ１１０１を用い、記憶装置としてＲＡＭ１１０２、ＲＯＭ１１０３、ＨＤ１１０４を用いている。ＨＤ１１０４として、例えばハードディスク、ＳＳＤ（Ｓｏｌｉｄ  Ｓｔａｔｅ  Ｄｒｉｖｅ）を用いてもよい。有線制御モジュール１０５、無線制御モジュール１２５、画像・音声データ処理モジュール１３５、モニタ機能制御モジュール１５５、有線制御モジュール２０５、画像・音声データ処理モジュール２３０、有線制御モジュール６０５、無線制御モジュール６２５、画像・音声データ処理モジュール６３５、有線制御モジュール７０５、画像・音声データ処理モジュール７３０、無線制御モジュール８１０、画像・音声データ処理モジュール８３０、モニタ機能制御モジュール８５０等のプログラムを実行するＣＰＵ１１０１と、そのプログラムやデータを記憶するＲＡＭ１１０２と、本コンピュータを起動するためのプログラム等が格納されているＲＯＭ１１０３と、サーバ受信データ記憶モジュール１１５、サーバ送信データ記憶モジュール１２０、ユーザデータ記憶モジュール１３０、サーバ送信データ記憶モジュール２１０、サーバ受信データ記憶モジュール２１５、サーバ受信データ記憶モジュール６１５、サーバ送信データ記憶モジュール６２０、ユーザデータ記憶モジュール６３０、サーバ送信データ記憶モジュール７１０、サーバ受信データ記憶モジュール７１５、ユーザデータ記憶モジュール７２０、画像・音声データ記憶モジュール７２５、送信データ記憶モジュール８１５、受信データ記憶モジュール８２０、ユーザデータ記憶モジュール８２５としての機能を有する補助記憶装置（フラッシュ・メモリ等であってもよい）であるＨＤ１１０４と、タッチパネル操作モジュール１５０、タッチパネル操作モジュール８４５等の機能を有するキーボード、マウス、タッチスクリーン、マイク、カメラ（視線検知カメラ等を含む）等に対する利用者の操作（動作、音声、視線等を含む）に基づいてデータを受け付ける受付装置１１０６と、画像表示モジュール１４０、音声出力モジュール１４５、画像表示モジュール８３５、音声出力モジュール８４０等の機能を有するＣＲＴ、液晶ディスプレイ、スピーカー等の出力装置１１０５と、有線制御モジュール１０５、アンテナ１１０、有線制御モジュール２０５、有線制御モジュール６０５、アンテナ６１０、有線制御モジュール７０５等の機能を有するネットワークインタフェースカード等の通信ネットワークと接続するための通信回線インタフェース１１０７、そして、それらをつないでデータのやりとりをするためのバス１１０８により構成されている。これらのコンピュータが複数台互いにネットワークによって接続されていてもよい。
【００７５】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図１１に示すハードウェア構成は、１つの構成例を示すものであり、本実施の形態は、図１１に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１１に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００７６】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００７７】
１００…デジタルサイネージ装置
１０５…有線制御モジュール
１１０…アンテナ
１１５…サーバ受信データ記憶モジュール
１２０…サーバ送信データ記憶モジュール
１２５…無線制御モジュール
１３０…ユーザデータ記憶モジュール
１３５…画像・音声データ処理モジュール
１４０…画像表示モジュール
１４５…音声出力モジュール
１５０…タッチパネル操作モジュール
１５５…モニタ機能制御モジュール
２００…サーバ装置
２０５…有線制御モジュール
２１０…サーバ送信データ記憶モジュール
２１５…サーバ受信データ記憶モジュール
２２０…ユーザデータ記憶モジュール
２２５…画像・音声データ記憶モジュール
２３０…画像・音声データ処理モジュール
３００…ユーザ端末
３１０…アンテナ
３８０…画像・音声データ
３９０…通信回線（有線）
６００…ゲートウェイ装置
６０５…有線制御モジュール
６１０…アンテナ
６１５…サーバ受信データ記憶モジュール
６２０…サーバ送信データ記憶モジュール
６２５…無線制御モジュール
６３０…ユーザデータ記憶モジュール
６３５…画像・音声データ処理モジュール
７００…サーバ装置
７０５…有線制御モジュール
７１０…サーバ送信データ記憶モジュール
７１５…サーバ受信データ記憶モジュール
７２０…ユーザデータ記憶モジュール
７２５…画像・音声データ記憶モジュール
７３０…画像・音声データ処理モジュール
８００…ユーザ端末
８０５…アンテナ
８１０…無線制御モジュール
８１５…送信データ記憶モジュール
８２０…受信データ記憶モジュール
８２５…ユーザデータ記憶モジュール
８３０…画像・音声データ処理モジュール
８３５…画像表示モジュール
８４０…音声出力モジュール
８４５…タッチパネル操作モジュール
８５０…モニタ機能制御モジュール
９８０…画像・音声データ
９９０…通信回線（有線）
【図１】
2019029786.tif 000003
【図２】
2019029786.tif 000004
【図３】
2019029786.tif 000005
【図４】
2019029786.tif 000006
【図５】
2019029786.tif 000007
【図６】
2019029786.tif 000008
【図７】
2019029786.tif 000009
【図８】
2019029786.tif 000010
【図９】
2019029786.tif 000011
【図１０】
2019029786.tif 000012
【図１１】
2019029786.tif 000013